(57)【特許請求の範囲】
【請求項１】
柱と梁からなる構造体の枠組の枠内に断熱材を装填し、構造体の枠組の外側に外壁を取付け、構造体の枠組及び断熱材の外壁に臨む側に透湿防水シートを張設し、外壁と透湿防水シートとの間に通気層を形成し、
前記透湿防水シートが張設される断熱材として発泡樹脂系断熱材が用いられ、
外壁と構造体の枠組の梁に添って張設されている透湿防水シートとの間に通気層形成材が設けられるとともに、外壁の断熱材に近接する部分の一部のみと該断熱材に添って張設されている透湿防水シートとの間に通気層形成材が設けられ、
前記構造体の枠組の枠内で、前記発泡樹脂系断熱材の装填領域の室内側に繊維系断熱材が充填されてなる建物の断熱通気壁構造であって、
前記構造体の枠組が主柱と梁を有してなり、梁が主柱に接合されたジョイントピースに取付けられ、梁の外壁に沿う面が主柱の外壁に沿う面よりも、該外壁の側からジョイントピースの厚み分だけ室内側寄りに離隔され、
主柱に取付けられた外壁と梁の外壁に沿う面との間にジョイントピースの厚み分の小隙間が形成され、外壁と、梁に添って張設されている透湿防水シートとの間に設けられる前記通気層形成材が上記小隙間に設置されてなる建物の断熱通気壁構造。
【請求項２】
前記外壁が外壁フレームに外壁面材を取付けて構成され、該外壁の断熱材に近接する部分を外壁フレームとする請求項１に記載の建物の断熱通気壁構造。
【請求項３】
前記通気層形成材がプラスチック製段ボールによって構成される請求項１又は２に記載の建物の断熱通気壁構造。
【発明の詳細な説明】
【技術分野】
【０００１】
本発明は建物の断熱通気壁構造に関する。
【背景技術】
【０００２】
従来の建物の断熱通気壁構造として、例えば特許文献１に記載の如く、柱と梁からなる構造体の枠組の枠内に断熱材を装填し、構造体の枠組の外側に外壁を取付け、構造体の枠組及び断熱材の外壁に臨む側に透湿防水シートを張設し、外壁と透湿防水シートとの間に通気層を形成してなるものがある。
【先行技術文献】
【特許文献】
【０００３】
【特許文献１】特開2009-127196号公報
【発明の概要】
【発明が解決しようとする課題】
【０００４】
従来の建物の断熱通気壁構造において、構造体の枠組の外側に外壁を取付けるとき、外壁と構造体の枠組の梁（床梁又は天井梁）との隙間が小さいときには、外壁との間に通気層を形成するための透湿防水シートが撓む等によって該通気層を塞ぐことがないように、外壁と構造体の枠組の梁との間にプラスチック製段ボールからなる通気層形成材を設けることが行なわれている。
【０００５】
また、従来の建物の断熱通気壁構造において、構造体の枠組の外側に外壁を取付けるとき、外壁と断熱材との隙間が小さいときにも、外壁との間に通気層を形成するための透湿防水シートが撓む等によって該通気層を塞ぐことがないように、外壁と断熱材との間にプラスチック製段ボールからなる通気層形成材を設けることが行なわれている。
【０００６】
従って、従来技術では、外壁と透湿防水シートとの間の全域に通気層を安定的に形成するために、プラスチック製段ボールからなる通気層形成材を、構造体の枠組と断熱材が外壁に臨んでいる全域に設ける必要がある。このことは、プラスチック製段ボールからなる通気層形成材の使用料が多量になり、断熱通気壁構造の製造コストが嵩むことを意味する。
【０００７】
本発明の課題は、建物の断熱通気壁構造において、外壁と、構造体の枠組及び断熱材の該外壁に臨む側に張設されている透湿防水シートとの間に、簡易かつ安定的に通気層を形成することにある。
【課題を解決するための手段】
【０００８】
請求項１に係る発明は、柱と梁からなる構造体の枠組の枠内に断熱材を装填し、構造体の枠組の外側に外壁を取付け、構造体の枠組及び断熱材の外壁に臨む側に透湿防水シートを張設し、外壁と透湿防水シートとの間に通気層を形成し、前記透湿防水シートが張設される断熱材として発泡樹脂系断熱材が用いられ、外壁と構造体の枠組の梁に添って張設されている透湿防水シートとの間に通気層形成材が設けられるとともに、外壁の断熱材に近接する部分の一部のみと該断熱材に添って張設されている透湿防水シートとの間に通気層形成材が設けられ、前記構造体の枠組の枠内で、前記発泡樹脂系断熱材の装填領域の室内側に繊維系断熱材が充填されてなる建物の断熱通気壁構造であって、前記構造体の枠組が主柱と梁を有してなり、梁が主柱に接合されたジョイントピースに取付けられ、梁の外壁に沿う面が主柱の外壁に沿う面よりも、該外壁の側からジョイントピースの厚み分だけ室内側寄りに離隔され、主柱に取付けられた外壁と梁の外壁に沿う面との間にジョイントピースの厚み分の小隙間が形成され、外壁と、梁に添って張設されている透湿防水シートとの間に設けられる前記通気層形成材が上記小隙間に設置されてなるようにしたものである。
【０００９】
請求項２に係る発明は、請求項１に係る発明において更に、前記外壁が外壁フレームに外壁面材を取付けて構成され、該外壁の断熱材に近接する部分を外壁フレームとするようにしたものである。
【００１０】
請求項３に係る発明は、請求項１又は２に係る発明において更に、前記通気層形成材がプラスチック製段ボールによって構成されるようにしたものである。
【発明の効果】
【００１３】
（請求項１）
(a)建物の断熱通気壁構造では、外壁と、構造体の枠組及び断熱材の外壁に臨む側に張設された透湿防水シートとの間に、建物の壁下換気口から軒裏換気口に渡って上下に連通する通気層が形成される。
【００１４】
このとき、外壁と、構造体の枠組の梁（床梁又は天井梁）に添って張設した透湿防水シートとの小隙間に形成されるべき通気層は、その透湿防水シートの撓み等の変形によって塞がれないように、外壁と該透湿防水シートとの当該小隙間に設けた通気層形成材によって確保される。
【００１５】
また、外壁と、断熱材に添って張設した透湿防水シートとの大隙間に形成されるべき通気層は、発泡樹脂系からなる断熱材の保形性の故に、また透湿防水シートが当該大隙間を塞ぐほどに大きく撓むこともない故に、広く安定的に確保される。
【００１６】
また、外壁の外壁フレーム等が断熱材に近接していて、外壁の外壁フレーム等（断熱材に近接する部分）と、断熱材に添って張設した透湿防水シートとの間に小隙間が形成される範囲では、この外壁フレーム等の一部のみと断熱材との小隙間の一部のみに設けた通気層形成材が当該小隙間の一部における通気層を確保する。小隙間の一部のみに設けた通気層形成材は、当該小隙間を形成している上記透湿防水シートの当該通気層形成材から離れて位置する部分の変形も抑制し、当該小隙間の残部における通気層も確保する。
【００１７】
従って、外壁と、構造体の枠組及び断熱材の外壁に臨む側に張設された透湿防水シートとの間に通気層を形成するとき、外壁と断熱材の間では、外壁の断熱材に近接する部分の一部のみと断熱材との間にだけ通気層形成材を設ければ足り、簡易かつ安定的に通気層を形成できる。
【００１８】
(b)前記構造体の枠組の枠内で、前記発泡樹脂系断熱材の装填領域の室内側に繊維系断熱材が充填される。構造体の枠組の枠内の外壁側には、断熱性が高く、高い保形性を有して上述(a)の通気層となる空洞部を形成し得る発泡樹脂系断熱材を充填する。他方、該枠組の枠内の室内側には、柔軟で配線配管性の良い繊維系断熱材を充填する。これにより、建物の断熱通気壁構造の断熱通気性及び施工性を併せ向上できる。
【００１９】
(c)前記構造体の枠組が主柱と梁を有してなり、梁が主柱に接合されたジョイントピースに取付けられ、梁の外壁に沿う面が主柱の外壁に沿う面よりも、該外壁の側からジョイントピースの厚み分だけ室内側寄りに離隔される。主柱の外面に外壁を取付けたとき、外壁と梁（床梁又は天井梁）の外面との間にジョイントピースの厚み分の隙間が形成される。前述(a)の外壁と梁に添って張設されている透湿防水シートとの間に設けられる通気層形成材を、上記隙間に安定的に設置できる。
【００２０】
（請求項２）
(d)前記外壁が外壁フレームに外壁面材を取付けて構成されるとき、外壁フレームが外壁の断熱材に近接する部分になる。外壁の上下方向の中間部で、横方向に延在する外壁フレーム（横桟）が、断熱材に近接するとき、この外壁フレームの一部のみと断熱材との間に通気層形成材を設けることにより、外壁が断熱材に添って張設されている透湿防水シートとの間に形成する前述(a)の通気層を確実に形成できる。
【００２１】
（請求項３）
(e)前記通気層形成材がプラスチック製段ボールによって構成される。プラスチック製段ボールの横方向に相並び、それぞれ上下に連通する多数の通気孔が確実に通気層を形成するものになる。
【図面の簡単な説明】
【００２２】
【図１】図１は本発明の一実施例に係る断熱通気壁構造を示す縦断面図である。
【図２】図２は図１のII-II線の高さレベルで、梁の位置を通る横断面図である。
【図３】図３は図１のIII-III線の高さレベルで、断熱材の位置を通る横断面図である。
【図４】図４は外壁の裏側にプラ段付防水シートを取付けた状態を示す模式図である。
【図５】図５は断熱通気壁構造の概略構成を示す斜視図である。
【図６】図６は断熱通気壁構造の概略構成を示す横断面図である。
【発明を実施するための形態】
【００２３】
図１は、複数の建物ユニット１０を現地に設けた基礎１の上に隣接設置して構築したユニット建物１００に、本発明の断熱通気壁構造を適用した例を示している。
【００２４】
建物ユニット１０は、各４本の主柱１１と床梁１２と天井梁１３を接合した直方体状の鉄骨等の骨組からなる構造体１０Ａからなる。建物ユニット１０は、図３に示す如く、構造体１０Ａの主柱１１と床梁１２と天井梁１３からなる枠組１５の枠内に後述する２種の断熱材２１、２３を設けている。尚、建物ユニット１０の枠組１５は、床梁１２と天井梁１３の間に、複数本の間柱１５を立設して備える。そして、建物ユニット１０は、図１〜図３に示す如く、枠組１５（主柱１１、床梁１２、天井梁１３、間柱１４）の外側の全域に渡るように外壁３０を取付けるとともに、枠組１５の室内側の全域に渡るように内壁４０を取付ける。
【００２５】
建物ユニット１０は、構造体１０Ａの枠組１５（主柱１１、床梁１２、天井梁１３、間柱１４）及び断熱材２１の外壁３０に臨む側に透湿防水シート５０を張設し、外壁３０と透湿防水シート５０との間に通気層６０を形成する。透湿防水シート５０は、図１〜図３、図６に示す如く、構造体１０Ａの枠組１５（主柱１１、床梁１２、天井梁１３、間柱１４）の外面に添設され、外壁３０を枠組１５に取付けるときに外壁３０の後述する外壁フレーム３１の縦桟３１Ｂと間柱１４の外面との間に挟着されて固定され、結果として、枠組１５（主柱１１、床梁１２、天井梁１３、間柱１４）及び断熱材２１に添って張設される。通気層６０の下端は１階外壁３０の下端部に設けた壁下換気口Ａに連通し、通気層６０の上端は外壁３０の上端部に設けた軒裏換気口Ｂに連通し、壁下換気口Ａから軒裏換気口Ｂに渡る上下に連通している。
【００２６】
ここで、建物ユニット１０は、透湿防水シート５０が張設される断熱材２１を発泡樹脂系断熱材としている。本実施例では更に、前記構造体１０Ａの枠組１５の枠内で、発泡樹脂系断熱材２１を外側寄りに装填し、この発泡樹脂系断熱材２１に透湿防水シート５０を張設するとともに、この発泡樹脂系断熱材２１の装填領域の室内側に繊維系断熱材２２を充填することとしている。また、建物ユニット１０では、Ｃ形鋼からなる床梁１２と天井梁１３の梁断面内に繊維系断熱材２２を充填している。
【００２７】
このとき、構造体１０Ａの枠組１５の枠内の外側寄りに装填される発泡樹脂系断熱材２１の外面は、主柱１１及び間柱１５が後述する如くに外壁３０に沿う側面よりも、外壁３０の外壁フレーム３１（中桟３１Ｃ）の側から室内側に段差Ｋ（図３）だけ、室内側寄りに離隔される。この段差Ｋは、構造体１０Ａにおける床梁１２、天井梁１３の後述するジョイントピース１２Ｊ、１３Ｊが厚みｔ分とされ、主柱１１及び間柱１５の外面が後述する如くに床梁１２、天井梁１３の外面との間に形成する小隙間Ｇ（図１、図２）と同一寸法に設定されている。
【００２８】
尚、発泡樹脂系断熱材２１は、ポリスチレン、フェノール樹脂等の合成樹脂の発泡体からなるものであり、繊維系断熱材２２より高い断熱性能を有するとともに、柔軟性は劣り、保形性に優れる。発泡樹脂系断熱材２１は、枠組１５の枠内に定められる装填領域に装填できる一定厚みの矩形に裁断されている。発泡樹脂系断熱材２１は、枠組１５の相隣る間柱１４等に両面粘着テープ等によって固定されても良いが、相隣る間柱１５の間隔内に挟入されて固定されることなく嵌め込み保持されるものとしても良い。
【００２９】
また、繊維系断熱材２２は、グラスウール、ロックウール等の繊維を袋体に詰めたものであり、押圧を受けて容易に変形でき、該繊維系断熱材２２内への配線配管性に優れる。繊維系断熱材２２は、枠組１５の枠内に定められる充填領域に納まる程度とされ、厚みは充填領域の厚みより大きいものが好ましい。繊維系断熱材２２は、枠組１５の相隣る間柱１４の間隔内に圧入され、又はＣ形鋼等からなる間柱１５の凹状断面内に圧入され、タッカー等により間柱１４の凹状断面内における高さ方向複数位置に挿着された木レンガ１６に固定される。
【００３０】
また、外壁３０は、図１に示す如く、外壁フレーム３１に外壁面材３２を取付けて構成され、外壁フレーム３１が間柱１４に固定されるものとしている。建物ユニット１０における枠組１５（主柱１１、床梁１２、天井梁１３、間柱１４）の外側に外壁３０を取付け、枠組１５の枠内に発泡樹脂系断熱材２１を装填したとき、外壁３０の外壁フレーム３１が発泡樹脂系断熱材２１に近接する部分になる。外壁フレーム３１は、上下の横桟３１Ａと左右の縦桟３１Ｂにより四周を形成し、左右の縦桟３１Ｂをつなぐ複数本の中桟３１Ｃを有して構成される。外壁３０は、外壁フレーム３１の縦桟３１Ｂが図３、図６に示す如く、主柱１１と間柱１４の外面（間柱１４の外面は主柱１１の外面と面一に設定される）に防水テープ１７を介して添設され、この縦桟３１Ｂが間柱１４の高さ方向複数位置に固定具１８によって固定される。
【００３１】
このとき、建物ユニット１０にあっては、構造体１０Ａの床梁１２と天井梁１３が、主柱１１の下端部と上端部のそれぞれに接合されたジョイントピース１２Ｊ、１３Ｊに取付けられ、それらの床梁１２、天井梁１３の外壁３０に沿う外面が主柱１１及び間柱１４の外壁３０に沿う外面よりも、外壁３０の外壁フレーム３１（横桟３１Ａ）の側からジョイントピース１２Ｊ、１３Ｊの厚みｔ分（図２）だけ、室内側寄りに離隔される。従って、主柱１１及び間柱１４の外面と、床梁１２、天井梁１３の外面の間には、厚みｔの小隙間Ｇ（図１、図２）が形成される。
【００３２】
しかるに、建物ユニット１０にあっては、通気層６０を下記(A)、(B)によって構成している。
【００３３】
(A)外壁３０における外壁フレーム３１の横桟３１Ａと、前記構造体１０Ａの枠組１５の床梁１２、天井梁１３に添って張設されている透湿防水シート５０との間に、図１、図２に示す如く、上下２本の横長広幅状通気層形成材６１を設ける。
【００３４】
通気層形成材６１は、本実施例ではプラスチック製段ボール（プラ段）からなり、該段ボールの横方向（床梁１２、天井梁１３の延在方向）に相並び、それぞれ上下に連通する多数の通気孔６１Ａを備えるとともに、各通気孔６１Ａに直交して連通する多数の小孔（不図示）を少なくとも透湿防水シート５０に接する側に備える（図２）。
【００３５】
(B)外壁３０の発泡樹脂系断熱材２１に近接する部分の一部のみ、即ち外壁フレーム３１の縦桟３１Ｂの全部及び外壁フレーム３１の中桟３１Ｃの中間部と、該発泡樹脂系断熱材２１との間に、図１、図３に示す如く、全３本の縦長狭幅状通気層形成材６２を設ける。
【００３６】
通気層形成材６２は、本実施例では通気層形成材６１と同様のプラスチック製段ボールからなり、通気層形成材６１の通気孔６１Ａと同様の通気孔６２Ａを備えるとともに、通気孔６２Ａに直交して連通する多数の小孔（不図示）を備える（図３）。
【００３７】
本実施例では、図４に示す如く、透湿防水シート５０の外側（室内側の反対側）に通気層形成材６１、６２を貼り付けて予め一体化されたプラ段付防水シート５０Ｐを外壁３０の１枚分ずつ用意し、外壁３０の裏面（外壁フレーム３１）への取付性、ひいては構造体の枠組１５及び発泡樹脂系断熱材２１に沿う張設作業性を容易化している。このとき、プラ段付防水シート５０Ｐの透湿防水シート５０は外壁３０の裏面（外壁フレーム３１）の概ね全域（横桟３１Ａ及び縦桟３１Ｂ）に渡る縦横寸法を備え、プラ段付防水シート５０Ｐの通気層形成材６１、６２は外壁３０の両側の縦桟３１Ｂに挟まれる範囲（縦桟３１Ｂにはかからない）にのみ設けられ、換言すればプラ段付防水シート５０Ｐの透湿防水シート５０において外壁３０の両側の縦桟３１Ｂに取付けられる両側縁部５０Ａには通気層形成材６１、６２が設けられない（図６）。
【００３８】
従って、ユニット建物１００において、各建物ユニット１０への外壁３０の取付け作業は以下の如くになされる。
【００３９】
(1)外壁３０の１枚毎に対応するプラ段付防水シート５０Ｐを用意し、プラ段付防水シート５０Ｐを外壁３０の裏面（外壁フレーム３１）に取付ける。
【００４０】
即ち、建物ユニット１０では、図４、図５に示す如く、プラ段付防水シート５０Ｐにおける通気層形成材６１の部分を外壁３０の外壁フレーム３１における上下の横桟３１Ａに取付けるとともに、プラ段付防水シート５０Ｐにおける透湿防水シート５０の通気層形成材６２が設けられていない両側縁部５０Ａ（図６）を外壁３０における外壁フレーム３１の左右の縦桟３１Ｂに取付ける。
【００４１】
(2)プラ段付防水シート５０Ｐが上述の如く取付けられた外壁３０を前記構造体１０Ａの枠組１５（主柱１１、床梁１２、天井梁１３、間柱１４）の外面に取付ける。
【００４２】
即ち、各外壁３０の左右の縦桟３１Ｂを枠組１５の主柱１１、間柱１５に防水テープ１７を介して添設し（図３）、上下の横桟３１Ａを枠組１５の床梁１２、天井梁１３に前述の小隙間Ｇ（ジョイントピース１２Ｊ、１３Ｊの厚みｔ分の隙間）を介して添設した状態で、上記縦桟３１Ｂを固定具１８により間柱１４に固定する。前述(A)の通気層形成材６１の厚みは小隙間Ｇの厚みと同等とされ、通気層形成材６１を小隙間Ｇに納めることを可能にするものである。
【００４３】
これにより、外壁３０に取付けられたプラ段付防水シート５０Ｐが備える透湿防水シート５０は、前記構造体１０Ａの枠組１５（主柱１１、床梁１２、天井梁１３、間柱１４）及び該枠組１５の枠内の発泡樹脂系断熱材２１に添って張設されるものになる。
【００４４】
尚、相隣る建物ユニット１０が現地に設置されたユニット建物１００にあっては、相隣る建物ユニット１０、１０の相隣る外壁３０、３０の目地に、ガスケット１０１が挿着される（図３）。
【００４５】
しかるに、上述(2)により、外壁３０とプラ段付防水シート５０Ｐの透湿防水シート５０との間には、ユニット建物１００の壁下換気口Ａから軒裏換気口Ｂに渡る通気層６０が下記i〜iiiの各通気部６０Ｍ、６０Ａ〜６０Ｃにより形成される。各通気部６０Ｍ、６０Ａ〜６０Ｃの形成範囲を、図４に、（６０Ｍ）、（６０Ａ）、（６０Ｂ＋６０Ｃ）として示す。
【００４６】
i. 外壁３０の外壁フレーム３１が設けられていない部分に対応する通気部６０Ｍ
外壁３０の外壁フレーム３１が設けられていない部分は、外壁面材３２の裏面が発泡樹脂系断熱材２１にバックアップ支持されているプラ段付防水シート５０Ｐの透湿防水シート５０だけの部分に直に相対して該透湿防水シート５０との間に挟む大隙間Ｌ（図３）により、広く連続した空洞部６３を形成し、この空洞部６３が通気部６０Ｍを構成する。
【００４７】
ii. 外壁３０における外壁フレーム３１の上下の横桟３１Ａが設けられている部分に対応する通気部６０Ａ
外壁３０の上下の横桟３１Ａが設けられている部分は、それらの横桟３１Ａが枠組１５の床梁１２、天井梁１３に対して前述の小隙間Ｇを介して添設する部分であり、この小隙間Ｇにプラ段付防水シート５０Ｐの上下の通気層形成材６１を納めるものになり、この小隙間Ｇに設けた通気層形成材６１の通気孔６１Ａが上述iの通気部６０Ｍに連通する通気部６０Ａになる。
【００４８】
iii. 外壁３０における外壁フレーム３１の中間部の中桟３１Ｃが設けられている部分に対応する通気部６０Ｂ、６０Ｃ
外壁３０の上下の横桟３１Ａに挟まれる中間部の中桟３１Ｃは、枠組１５の枠内に前述の段差Ｋをなして装填されている発泡樹脂系断熱材２１に対して該段差Ｋに対応する小隙間Ｊ（図３）を介して添設するものになる。従って、外壁３０の中桟３１Ｃが設けられている部分は、この小隙間Ｊ自体が上述iの通気部６０Ｍと連続する通気部６０Ｂになる。
【００４９】
更に、外壁３０の中桟３１Ｃの左右延在方向に沿う両端部及び中間部が枠組１５の枠内の発泡樹脂系断熱材２１に対して形成する小隙間Ｊにはプラ段付防水シート５０Ｐの通気層形成材６２が挿し通され、この通気層形成材６２の通気孔６２Ａが外壁３０の全高に渡る通気部６０Ｃになる。同時に、通気層形成材６２は、小隙間Ｊの通気層形成材６２が挿し通されていない部分における透湿防水シート５０に生じるかもしれない撓みの発生を抑制し、この小隙間Ｊ自体が形成する前述の通気部６０Ｂを安定的に維持する。
【００５０】
従って、ユニット建物１００にあっては、外壁３０の裏側に上述の通気部６０Ｍ、６０Ａ〜６０Ｃが連続する通気層６０を形成するものになり、外気がこの通気層６０を壁下換気口Ａから軒裏換気口Ｂに渡って流れるとき、室内の湿気が断熱材２１、２２を通って透湿防水シート５０経由で通気層６０（６０Ａ〜６０Ｃ、６０Ｍ）に送り込まれて屋外に排出される。
【００５１】
本実施例によれば以下の作用効果を奏する。
(a)ユニット建物１００の断熱通気壁構造では、外壁３０と、構造体１０Ａの枠組１５及び発泡樹脂系断熱材２１の外壁３０に臨む側に張設された透湿防水シート５０との間に、ユニット建物１００の壁下換気口Ａから軒裏換気口Ｂに渡って上下に連通する通気層が形成される。
【００５２】
このとき、外壁３０と、構造体１０Ａの枠組１５の梁（床梁１２又は天井梁１３）に添って張設した透湿防水シート５０との小隙間Ｇに形成されるべき通気層６０（通気部６０Ａ）は、その透湿防水シート５０の撓み等の変形によって塞がれないように、外壁３０と該透湿防水シート５０との当該小隙間Ｇに設けた通気層形成材６１によって確保される。
【００５３】
また、外壁３０と、発泡樹脂系断熱材２１に添って張設した透湿防水シート５０との大隙間Ｌに形成されるべき通気層６０（通気部６０Ｍ）は、発泡樹脂系からなる発泡樹脂系断熱材２１の保形性の故に、また透湿防水シート５０が当該大隙間Ｌを塞ぐほどに大きく撓むこともない故に、広く安定的に確保される。
【００５４】
また、外壁３０の外壁フレーム３１等が発泡樹脂系断熱材２１に近接していて、外壁３０の外壁フレーム３１等（発泡樹脂系断熱材２１に近接する部分）と、発泡樹脂系断熱材２１に添って張設した透湿防水シート５０との間に小隙間Ｊが形成される範囲では、この外壁フレーム３１等の一部のみと発泡樹脂系断熱材２１との小隙間Ｊの一部のみに設けた通気層形成材６２が当該小隙間Ｊの一部における通気層６０（通気部６０Ｃ）を確保する。小隙間Ｊの一部のみに設けた通気層形成材６２は、当該小隙間Ｊを形成している上記透湿防水シート５０の当該通気層形成材６２から離れて位置する部分の変形も抑制し、当該小隙間Ｊの残部における通気層６０（通気部６０Ｂ）も確保する。
【００５５】
従って、外壁３０と構造体１０Ａの枠組１５及び発泡樹脂系断熱材２１の外壁３０に臨む側に張設された透湿防水シート５０との間に通気層を形成するとき、外壁３０と発泡樹脂系断熱材２１の間では、外壁３０の発泡樹脂系断熱材２１に近接する部分の一部のみと断熱材２１との間にだけ通気層形成材６２を設ければ足り、簡易かつ安定的に通気層を形成できる。
【００５６】
(b)前記構造体１０Ａの枠組１５の枠内で、前記発泡樹脂系断熱材２１の装填領域の室内側に繊維系断熱材２２が充填される。構造体１０Ａの枠組１５の枠内の外壁３０側には、断熱性が高く、高い保形性を有して上述(a)の通気層となる空洞部を形成し得る発泡樹脂系断熱材２１を充填する。他方、該枠組１５の枠内の室内側には、柔軟で配線配管性の良い繊維系断熱材２２を充填する。これにより、ユニット建物１００の断熱通気壁構造の断熱通気性及び施工性を併せ向上できる。
【００５７】
(c)前記構造体１０Ａの枠組１５の梁（床梁１２、天井梁１３）が主柱１１と梁（床梁１２、天井梁１３）を有してなり、梁（床梁１２、天井梁１３）が主柱１１に接合されたジョイントピース１２Ｊ、１３Ｊに取付けられ、梁（床梁１２、天井梁１３）の外壁３０に沿う面が主柱１１の外壁３０に沿う面よりも、該外壁３０の側からジョイントピース１２Ｊ、１３Ｊの厚み分だけ室内側寄りに離隔される。主柱１１の外面に外壁３０を取付けたとき、外壁３０と梁（床梁１２又は天井梁１３）の外面との間にジョイントピース１２Ｊ、１３Ｊの厚み分の小隙間Ｇが形成される。前述(a)の外壁３０と梁（床梁１２、天井梁１３）に添って張設されている透湿防水シート５０との間に設けられる通気層形成材６１を、上記小隙間Ｇに安定的に設置できる。
【００５８】
(d)前記外壁３０が外壁フレーム３１に外壁面材３２を取付けて構成されるとき、外壁フレーム３１が外壁３０の発泡樹脂系断熱材２１に近接する部分になる。外壁３０の上下方向の中間部で、横方向に延在する外壁フレーム３１（横桟３１Ａ）が、発泡樹脂系断熱材２１に近接するとき、この外壁フレーム３１の一部のみと発泡樹脂系断熱材２１との間に通気層形成材６２を設けることにより、外壁３０が発泡樹脂系断熱材２１に添って張設されている透湿防水シート５０との間に形成する前述(a)の通気層６０を確実に形成できる。
【００５９】
(e)前記通気層形成材６１、６２がプラスチック製段ボールによって構成される。プラスチック製段ボールの横方向に相並び、それぞれ上下に連通する多数の通気孔６１Ａ、６２Ａが確実に通気層６０を形成するものになる。
【００６０】
以上、本発明の実施例を図面により詳述したが、本発明の具体的な構成はこの実施例に限られるものではなく、本発明の要旨を逸脱しない範囲の設計の変更等があっても本発明に含まれる。例えば、本発明は、鉄骨構造体からなる建物に限らず、木質構造体からなる建物にも適用できる。
【００６１】
また、本発明の通気層形成材はプラスチック製段ボールに限らず、通気経路を形成できるスペーサ等からなるものでも良い。
【産業上の利用可能性】
【００６２】
本発明によれば、建物の断熱通気壁構造において、外壁と、構造体の枠組及び断熱材の該外壁に臨む側に張設されている透湿防水シートとの間に、簡易かつ安定的に通気層を形成することができる。
【符号の説明】
【００６３】
１０  建物ユニット
１０Ａ  構造体
１１  主柱
１２  床梁
１３  天井梁
１２Ｊ、１３Ｊ  ジョイントピース
１４  間柱
１５  枠組
２１  発泡樹脂系断熱材
２２  繊維系断熱材
３０  外壁
３１  外壁フレーム
３２  外壁面材
５０  透湿防水シート
６０  通気層
６１、６２  通気層形成材
【図１】
0006499487.tif 000002
【図２】
0006499487.tif 000003
【図３】
0006499487.tif 000004
【図４】
0006499487.tif 000005
【図５】
0006499487.tif 000006
【図６】
0006499487.tif 000007